(57)【要約】      （修正有）【課題】簡単かつ効率的に読影レポートを作成する装置及び方法を提供する。【解決手段】読影レポート作成支援装置１００Ａは、表示制御機能２２ａと、読影レポート取得機能２１と、参照レポート決定機能２３と、予測機能２４ａと、入力部４０と、表示部５０とを備える。表示部５０には、レポート作成画面が表示され、入力部４０は、レポート作成画面に対して行われるユーザの操作を受け付ける。予測機能２４ａは、入力手段４０によって受け付けられたユーザの操作に基づき、その操作に続けて行われるユーザの操作を予測する。表示制御機能２２ａは、予測機能２４ａによって予測されたユーザの操作に基づいて、表示部５０に表示されたレポート作成画面を制御する。【選択図】図２
2019105921.tif 000002
【特許請求の範囲】
【請求項１】
レポート作成画面が表示される表示手段と、
前記レポート作成画面に対して行われるユーザの操作を受け付ける入力手段と、
前記入力手段によって受け付けられた前記ユーザの操作に基づき、当該操作に続けて行われるユーザの操作を予測する予測手段と、
前記予測手段によって予測されたユーザの操作に基づいて、前記表示手段に表示された前記レポート作成画面を制御する表示制御手段と、を備える、
読影レポート作成支援装置。
【請求項２】
前記入力手段は、読影レポートに含ませる文字の入力を受け付け、
前記予測手段は、前記入力手段が受け付けた前記文字に基づき、当該入力に続けて入力される文字を予測する、
請求項１に記載の読影レポート作成支援装置。
【請求項３】
過去レポートが記憶された記憶手段をさらに備え、
前記予測手段は、前記入力手段が受け付けた前記文字と同一または対応する文字を含む過去レポートを前記記憶手段から読み出し、読み出した過去レポートに基づいて、続けて入力される文字を予測する、
請求項２に記載の読影レポート作成支援装置。
【請求項４】
前記記憶手段に記憶された過去レポートの中から前記読影レポートの作成に関連する参照レポートの候補となる過去レポートを取得する読影レポート取得手段をさらに備え、
前記予測手段は、前記読影レポートに入力中の文字列から前記参照レポートを決定し、
前記表示制御手段は、前記参照レポートを含む前記レポート作成画面を生成する、
請求項３に記載の読影レポート作成支援装置。
【請求項５】
前記表示制御手段は、前記参照レポートが複数存在する場合、当該複数の参照レポートの候補を一覧で生成する、
請求項４に記載の読影レポート作成支援装置。
【請求項６】
前記予測手段は、前記参照レポートから抽出した所見と前記読影レポートに入力中の文字列とに基づいて、前記読影レポートの所見に入力される文字列を予測する、
請求項１乃至５のいずれか１項に記載の読影レポート作成支援装置。
【請求項７】
前記入力手段は、前記読影レポートに含ませる医用画像を選択する操作を受け付け、
前記予測手段は、前記入力手段によって受け付けられた前記医用画像を選択する操作に基づき、前記レポート作成画面のレイアウトを特定し、
前記表示制御手段は、前記予測手段によって特定されたレイアウトに基づいて前記レポート作成画面を制御する、
請求項１乃至６のいずれか１項に記載の読影レポート作成支援装置。
【請求項８】
前記予測手段は、前記レイアウトとして第１のレイアウトが特定された後、医用画像が添付されるエリアの面積が前記第１のレイアウトの場合より大きい第２のレイアウトを特定し、
前記表示制御手段は、前記第１のレイアウトに基づくレポート作成画面の表示を、前記予測手段によって特定された第２のレイアウトに基づくレポート作成画面に変更する、
請求項７に記載の読影レポート作成支援装置。
【請求項９】
前記入力手段は、前記表示手段としての第１の表示手段と、前記第１の表示手段とは異なる表示手段であって前記医用画像が表示される第２の表示手段とが、拡張モードを採用したマルチディスプレイとして機能する場合に、前記第２の表示手段に対するユーザの選択操作を受け付け、
前記予測手段は、前記レイアウトとして第１のレイアウトが特定された後、医用画像が添付されるエリアが前記第１のレイアウトの場合より前記第２の表示手段の配置側に近い第２のレイアウトを特定し、
前記表示制御手段は、前記第１のレイアウトに基づくレポート作成画面の表示を、前記予測手段によって特定された第２のレイアウトに基づくレポート作成画面に変更する、
請求項７に記載の読影レポート作成支援装置。
【請求項１０】
表示部に表示されたレポート作成画面に対して行われるユーザの操作を受け付けるステップと、
受け付けた前記ユーザの操作に基づき、当該操作に続けて行われるユーザの操作を予測するステップと、
予測されたユーザの操作に基づいて、表示部に表示された前記レポート作成画面を制御するステップと、を備える、
読影レポート作成支援方法。
【発明の詳細な説明】
【技術分野】
【０００１】
本発明の実施形態は、読影レポート作成支援装置及び読影レポート作成支援方法に関する。
【背景技術】
【０００２】
読影医等のユーザは、診断に有効と考えられる代表的な画像（キー画像）を複数の医用画像の中から選択し、そのキー画像に対する所見を記述して読影レポートを作成する。ユーザは、読影レポートを作成する際に過去（作成済または作成中）の読影レポートを参考にすることがある。この場合、ユーザは、複数ある過去の読影レポートの中から適切な読影レポートを探し出す必要があり、読影レポートを作成するのに手間と時間がかかる。
【先行技術文献】
【特許文献】
【０００３】
【特許文献１】特開２０１５−４７１９２号公報
【発明の概要】
【発明が解決しようとする課題】
【０００４】
本発明が解決しようとする課題は、簡単かつ効率的に読影レポートを作成することである。
【課題を解決するための手段】
【０００５】
実施形態の読影レポート作成支援装置は、表示手段と、入力手段と、予測手段と、表示制御手段とを備える。表示手段は、読影レポートを作成するレポート作成画面を表示する。入力手段は、レポート作成画面に対して行われるユーザの操作を受け付ける。予測手段は、入力手段によって受け付けられたユーザの操作に基づき、当該操作に続けて行われるユーザの操作を予測する。表示制御手段は、予測手段によって予測された結果に基づいて、読影レポートの作成を支援するよう、表示手段によって表示されたレポート作成画面を制御する。
【図面の簡単な説明】
【０００６】
【図１】実施形態に係る読影レポート作成支援装置の一例を示す概念的な構成図。
【図２】第１の実施形態に係る読影レポート作成支援装置の機能構成例を示す機能ブロック図。
【図３】第１の実施形態に係る読影レポート作成支援装置の動作の一例を示すフローチャート。
【図４】過去レポート一覧の表示例を示す模式図。
【図５】入力中の所見から参照レポートを決定する方法を説明する模式図。
【図６】入力中の所見から続けて入力される文字列を予測する方法を説明する模式図。
【図７】第２の実施形態に係る読影レポート作成支援装置の機能構成例を示す機能ブロック図。
【図８】第２の実施形態に係る読影レポート作成支援装置の動作の一例を示すフローチャート。
【図９】キー画像の第１の添付支援表示を説明する第１の模式図。
【図１０】キー画像の第１の添付支援表示を説明する第２の模式図。
【図１１】キー画像の第２の添付支援表示を説明する第１の模式図。
【図１２】キー画像の第２の添付支援表示を説明する第２の模式図。
【図１３】キー画像の第２の添付支援表示を説明する第３の模式図。
【図１４】キー画像の第３の添付支援表示を説明する第１の模式図。
【図１５】キー画像の第３の添付支援表示を説明する第２の模式図。
【図１６】キー画像の第３の添付支援表示を説明する第３の模式図。
【発明を実施するための形態】
【０００７】
以下、図面を参照しながら、読影レポート作成支援装置及び読影レポート作成支援方法の実施形態について詳細に説明する。
【０００８】
図１に示すように、読影レポート作成支援装置１００は、ネットワークＮを介してモダリティ３００及び統合サーバ４００と接続される。ネットワークＮは、ＬＡＮ（Local Area Network）や、広域ネットワーク（ＷＡＮ：Wide Area Network）等である。
【０００９】
モダリティ３００は、Ｘ線ＣＴ（Computed Tomography）装置、ＭＲＩ（Magnetic Resonance Imaging）、Ｘ線アンギオ装置、超音波診断装置、核医学診断装置などの医用画像撮像装置によって構成される。モダリティ３００で取得された医用画像は、ネットワークＮを介して統合サーバ４００の医用画像データベース４０１に蓄積される。
【００１０】
統合サーバ４００は、病院内の複数のサーバを集約化したサーバであり、医用画像データベース４０１及びレポートデータベース４０２を含む。レポートデータベース４０２には、過去（作成済または作成中）の読影レポート（以下、過去レポートという）が格納される。統合サーバ４００は、医用画像データベース４０１及びレポートデータベース４０２を備える。なお、統合サーバ４００は、電子カルテデータベースや患者データベースなどの他のデータベースを含んでもよい。
【００１１】
なお、ここでいうサーバとは、メモリ及びプロセッサを有し、ネットワークを介してクライアントコンピュータに対し自身の持つ機能やデータを提供するコンピュータである。また、統合サーバ４００は、仮想サーバとして複数の物理サーバから構成されてもよい。さらに、統合サーバ４００は、施設外に設けられ、読影レポート作成支援装置１００と広域ネットワークを介して接続可能なクラウドサーバであってもよい。
【００１２】
読影レポート作成支援装置１００は、医用画像表示用ディスプレイ２００と映像出力インタフェースを介して接続する。映像出力インタフェースには、例えば、ＤＶＩ（Digital Visual Interface）やディスプレイポートが含まれる。医用画像表示用ディスプレイ２００は、医用画像の表示に適した高解像度ディスプレイである。
【００１３】
なお、医用画像の表示処理は、読影レポート作成支援装置１００により実行される。読影レポート作成支援装置１００は、医用画像表示用のプログラムを実行することで医用画像を医用画像表示用ディスプレイ２００に表示する。
【００１４】
読影レポート作成支援装置１００は、通信部１０、処理部２０、記憶部３０、入力部４０、表示部５０を有する。
【００１５】
通信部１０は、ネットワーク形態に応じた種々の通信プロトコルを実装する。通信部１０は、医用画像や過去レポートをネットワークＮを介して取得する。
【００１６】
処理部２０は、共通信号伝送路としてのバスＢを介して、通信部１０、記憶部３０、入力部４０、表示部５０を制御する。
【００１７】
処理部２０は、専用のハードウェアで構成してもよいし、内蔵のプロセッサによるソフトウェア処理で後述する各種機能を実現するように構成してもよい。ここでは一例として、処理部２０がプロセッサによるソフトウェア処理によって各種機能を実現する場合について説明する。
【００１８】
なお、上記説明におけるプロセッサとは、専用又は汎用のＣＰＵ（Central Processing Unit）、ＧＰＵ（Graphics Processing Unit）、特定用途向け集積回路（ＡＳＩＣ：Application Specific Integrated Circuit）、プログラマブル論理デバイス及びフィールドプログラマブルゲートアレイ（ＦＰＧＡ：Field Programmable Gate Array）などの回路を意味する。上記プログラマブル論理デバイスとしては、例えば、単純プログラマブル論理デバイス（ＳＰＬＤ：Simple Programmable Logic Device）、複合プログラマブル論理デバイス（ＣＰＬＤ：Complex Programmable Logic Device）などが挙げられる。処理部２０は、記憶部３０に記憶されたプログラム又は処理部２０のプロセッサ内に直接組み込まれたプログラムを読み出し、当該プログラムを実行することで各機能を実現する。
【００１９】
また、処理部２０は、単一のプロセッサによって構成されてもよいし、複数の独立したプロセッサの組合せによって構成されてもよい。後者の場合、複数のプロセッサにそれぞれ対応する複数の記憶回路が設けられると共に、各プロセッサにより実行されるプログラムが当該プロセッサに対応する記憶回路に記憶される構成でもよい。別の例としては、１個の記憶回路が複数のプロセッサの各機能に対応するプログラムを一括的に記憶する構成でもよい。また、各機能に対応するプログラムが複数のメモリに分散して配置され、処理部２０は、個別の記憶部から対応するプログラムを読み出す構成としてもよい。
【００２０】
記憶部３０は、ＲＯＭ（Read Only Memory）やＲＡＭ（Random Access Memory）の他、ＨＤＤ（Hard Disk Drive）や光ディスク装置等の外部記憶装置を含む記憶媒体である。記憶部３０は、処理部２０において実行される各種プログラム（アプリケーションプログラムの他、ＯＳ（オペレーティングシステム）等も含まれる）、プログラムの実行に必要なデータ及び画像データを記憶する。また、記憶部３０は、オペレーティングシステムを制御するための各種コマンドを記憶してもよい。入力部４０からの入力を支援するＧＵＩ（Graphical User Interface）のプログラムを記憶してもよい。
【００２１】
入力部４０は、例えば、キーボード、マウス、ジョイスティック、トラックボール、操作面に触れることで入力操作を行うタッチパッド、表示画面とタッチパッドとが一体化されたタッチスクリーン、光学センサを用いた非接触入力回路及び音声入力回路等の入力デバイスから構成される。入力部４０は、入力デバイスを介してユーザの入力を受け付ける。ユーザにより入力デバイスが操作されると、入力部４０は、その操作に応じた入力信号を生成し、この入力信号を処理部２０に出力する。
【００２２】
表示部５０は、液晶ディスプレイパネル、プラズマディスプレイパネル及び有機ＥＬ（Electro Luminescence）パネル等の表示デバイスである。表示部５０は、処理部２０の制御に従って、読影レポート作成画面を表示する。つまり、処理部２０は、読影レポート作成画面を表示部５０に表示させると共に、医用画像を医用画像表示用ディスプレイ２００に表示させる。
【００２３】
表示部５０及び医用画像表示用ディスプレイ２００を隣接して配置することにより、ユーザは、隣接する表示部５０及び医用画像表示用ディスプレイ２００の画面を操作して読影レポートを作成することができる。なお、読影レポート作成支援装置１００のＯＳにより、表示部５０及び医用画像表示用ディスプレイ２００が、マルチディスプレイ（例えば、デュアルディスプレイ）として機能するように構成してもよい。マルチディスプレイは、マルチモニタとも呼ばれる。マルチディスプレイは、表示部５０及び医用画像表示用ディスプレイ２００の表示領域を１つの大画面として表示する「拡張モード」を採用することができる。「拡張モード」を採用するマルチディスプレイでは、ユーザは、入力部４０を介して、表示部５０及び医用画像表示用ディスプレイ２００の間を跨いでカーソル等を移動させることができる。
【００２４】
［第１の実施形態］
（１）構成
図２に示すように、読影レポート作成支援装置１００Ａの処理部２０ａは、読影レポート取得機能２１、表示制御機能２２ａ、参照レポート決定機能２３、予測機能２４ａを有する。
【００２５】
読影レポート取得機能２１、表示制御機能２２ａ、参照レポート決定機能２３、予測機能２４ａの各機能は、記憶部３０に格納されたプログラムを処理部２０ａが実行することによって実現される機能である。
【００２６】
読影レポート取得機能２１は、新たに作成する読影レポート（以下、新規レポートという）の患者情報や検査情報を検索条件とし、検索条件に該当した読影レポートをレポートデータベース４０２から取得する。患者情報には、患者を一意に特定するための患者識別番号（ＩＤ：identification）、患者氏名、性別、生年月日、年齢が含まれる。また、検査情報には、検査実施日、検査種別、検査部位が含まれる。検査種別とは、例えば、検査を行った医用画像取得装置（モダリティ）の種類のことである。
【００２７】
読影レポート取得機能２１は、患者情報に基づいて、同一患者の過去レポートを取得する。また、読影レポート取得機能２１は、検査情報に基づいて、他の患者の過去レポートを取得してもよい。また、読影レポート取得機能２１は、患者の既往歴や治療中の疾患名などに基づいて、新規レポートに類似する過去レポートを取得してもよい。以下、新規レポートに類似する過去レポートを「類似レポート」という。
【００２８】
表示制御機能２２ａは、読影レポート作成画面を表示部５０に表示する。表示制御機能２２ａは、読影レポート取得機能２１によって取得された過去レポートに基づいて過去レポートの一覧を生成して表示部５０に表示する。また、表示制御機能２２ａは、過去レポートの中から特定された参照レポートを過去レポート画面に含めて表示部５０に表示する。さらに、表示制御機能２２ａは、新規レポートの所見入力欄Ｆ２に入力中の文字列に続けて入力される予測文字列を含めて表示部５０に表示する。表示制御機能２２ａによる表示例については、後述の図４乃至図６で詳細に説明する。
【００２９】
参照レポート決定機能２３は、新規レポートの所見入力欄に入力中の文字列に基づいて、読影レポート取得機能２１によって取得された過去レポートの中から参照レポートを決定する。参照レポートの決定方法については後述の図５で詳細に説明する。
【００３０】
予測機能２４ａは、参照レポート決定機能２３によって決定された参照レポートの内容と、新規レポートの所見入力欄Ｆ２に入力中の文字列とに基づいて、ユーザが入力中の文字列に続けて入力される文字列を予測する。予測機能２４ａによる文字列予測については、後述の図６で詳細に説明する。
【００３１】
（２）動作
図３から図５を参照して、第１の実施形態に係る読影レポート作成支援装置１００Ａの動作を説明する
【００３２】
図３に示すステップＳ１０１において、読影レポート取得機能２１は、参照レポートが含まれる複数の過去レポートを統合サーバ４００から取得する。参照レポートが含まれる複数の過去レポートは、例えば、新規レポートの作成対象である患者の過去の検査に対応する過去レポートである。読影レポート取得機能２１は、例えば、新規レポートの作成対象となる患者の患者情報に基づいて、当該患者の過去レポートをレポートデータベース４０２から取得する。
【００３３】
取得された複数の過去レポートに基づいて、表示制御機能２２ａは、過去レポート一覧を生成し表示部５０に表示する。
【００３４】
図４に示すように、表示部５０は、表示領域Ｅ１及び作成領域Ｅ２を有する。表示領域Ｅ１には、過去レポート画面が表示されている。
【００３５】
表示領域Ｅ１の過去レポート画面の上部には、検査履歴テーブルＴ１が表示される。作成領域Ｅ２の上部には、新規レポートの作成対象となる患者情報及び検査情報が表示される。作成領域Ｅ２の下部には、所見入力欄Ｆ２及びキー画像添付エリアＫＥが示される。
【００３６】
読影レポート取得機能２１は、例えば、患者ＩＤ「ＰＡＴＩ０００１」をキーとしてレポートデータベース４０２を検索し、当該患者に係る過去の読影レポートを取得する。なお、キーとなる情報項目は、患者ＩＤに限定されない。例えば、読影レポート取得機能２１は、その他の患者情報及び検査情報（検査種別、性別、年齢など）を利用することにより、過去の読影レポートを取得してもよい。
【００３７】
読影レポート取得機能２１は、取得された過去レポートの一覧を過去レポート画面に表示する。図４に示した過去レポート画面には、患者ＩＤ「ＰＡＴＩ０００１」に対応する「患者Ａ子」の過去レポート４件が一覧表示されている。
【００３８】
図３に示すステップＳ１０２において、参照レポート決定機能２３は、入力部４０を介してユーザが入力した所見を受け付ける。所見は、医用画像表示用ディスプレイ２００に表示された医用画像を参照しつつ、作成領域Ｅ２に表示された所見入力欄Ｆ２に入力される。
【００３９】
ステップＳ１０３において、参照レポート決定機能２３は、新規レポートの所見入力欄Ｆ２に入力中の文字列に基づいて、検査履歴テーブルＴ１に示された過去レポートを検索し、過去レポートの中から参照レポートを決定する。表示制御機能２２ａは、参照レポート決定機能２３により入力中の文字列により絞り込まれた過去レポートを参照レポートの候補として所見入力欄Ｆ２に表示する。例えば、後述の図５の所見入力欄Ｆ２に示すように、検索された過去レポートを参照レポートの候補として一覧で表示する。
【００４０】
ステップＳ１０４において、参照レポート決定機能２３は、新規レポートの所見入力欄Ｆ２に入力された文字列に基づいて、検査履歴テーブルＴ１に示された過去レポートの中から参照レポートを決定する。参照レポート決定機能２３は、所見入力欄Ｆ２に表示された参照レポートの候補から参照レポートを決定してもよい。
【００４１】
ステップＳ１０５において、表示制御機能２２ａは、参照レポート決定機能２３により決定された参照レポートの内容を過去レポート画面に表示する。過去レポート画面には、参照レポートの所見とキー画像が表示される。
【００４２】
図５は、図４の表示状態において所見入力欄Ｆ２に文字列が入力された場合を示している。また、図５では、所見入力欄Ｆ２に入力された日付に基づいて、参照レポートを決定する方法を例として説明する。なお、図中に示した丸囲み数字は、ユーザの入力操作あるいは読影レポート作成画面の表示変更の順番を示す。以下の説明では、図中の丸囲み数字を順序１、２…と称する。
【００４３】
まず、所見入力欄Ｆ２に「２０１５」という文字列ＴＸ１が入力部４０を介して入力された場合（順序１）、参照レポート決定機能２３は、文字列ＴＸ１をキーとして、検査履歴テーブルＴ１中の過去レポートを検索する。検査実施日が「２０１５」の検査には、検査履歴テーブルＴ１の上から３段目の検査実施日が「２０１５／０４／１９」の過去レポート及び検査履歴テーブルＴ１の上から４段目の検査実施日が「２０１５／１２／１８」の過去レポートが該当する。
【００４４】
次に、表示制御機能２２ａは、参照レポート決定機能２３により検索された２件の過去レポートの検査実施日を取得し、参照レポート候補リストＬ１を生成する（順序２）。参照レポート候補リストＬ１は、ユーザが入力中の所見入力欄Ｆ２の所見文字列ＴＸ１の下部に選択可能に表示される。
【００４５】
ユーザは、所見入力欄Ｆ２に表示された参照レポート候補リストＬ１の中から入力部４０を介して参照レポートを選択する（順序３）。この場合、参照レポート決定機能２３は、参照レポート候補リストＬ１のうち選択された検査実施日に対応する過去レポートを参照レポートとして決定する。さらに、ユーザが入力した「２０１５」に続く文字列である「／１２／１８」は、決定された参照レポートの検査実施日に基づいて所見入力欄Ｆ２に自動的に入力される。
【００４６】
また、ユーザは、「２０１５」に続く文字列として、「／１」を所見入力欄Ｆ２にさらに入力してもよい。この場合、参照レポート決定機能２３は、検査実施日が「２０１５／１２／１８」の過去レポートを参照レポートとして決定する。この際、ユーザが入力した文字列「２０１５／１」に対して、「２／１８」の文字列が補完入力される。即ち、ユーザが入力した「２０１５／１」に続く文字列である「２／１８」は、ユーザが入力せずとも所見入力欄Ｆ２に自動的に入力される。
【００４７】
参照レポートが決定されると、検査履歴テーブルＴ１の下部に参照レポートの内容が表示される（順序４）。参照レポートの所見は、所見表示欄Ｆ１に表示される。また、所見表示欄Ｆ１の下部にキー画像ＩＭＧ１及びキーＩＭＧ２が表示される。
【００４８】
なお、図５では、所見入力欄Ｆ２に入力中の日付に基づいて過去レポートを検索する方法を説明したが、過去レポートを検索する方法は日付（検査実施日）には限定されない。例えば、検査種別や検査部位を示す文字列の一部を入力することで、過去レポートが検索され、その中から参照レポートが決定されてもよい。具体的には、「肺野」や「肺」などの解剖学的部位を入力すると、当該解剖学的部位に対する所見を含む過去レポートが参照レポートとして決定されてもよい。
【００４９】
また、「前回」のようにひとつ前の検査を示す文字列が所見入力欄Ｆ２に入力された場合、参照レポート決定機能２３は、新規レポートの検査実施日に一番近い検査実施日に係る過去レポートを参照レポートとして決定してもよい。また、ユーザが入力した「前回」の文字列に続けて過去レポートの検査実施日が自動的に入力されてもよい。
【００５０】
さらに、参照レポート決定機能２３は、同一の患者の過去レポートが無い場合、他の患者の過去レポートの中から参照レポートを決定してもよい。
【００５１】
例えば、参照レポート決定機能２３は、読影レポート取得機能２１に類似レポートの取得を要求し、類似レポートの中から参照レポートを決定してもよい。類似レポートは、新規レポートの患者の性別、年齢、症例、確定病名、既往歴、病気の重症度（ステージ）、病歴などの患者情報や、造影有無、解剖学的部位、検査種別などの検査情報が一致する別の患者の過去レポートのことである。
【００５２】
参照レポート決定機能２３は、類似レポートの中から、所見入力欄Ｆ２に入力中の文字列に対応する過去レポートを参照レポート候補として抽出し、ユーザの選択操作に基づいて参照レポートの候補の中から参照レポートを決定してもよい。
【００５３】
第１の実施形態では、読影レポート取得機能２１が新規レポート作成前に過去レポートをレポートデータベース４０２から取得する場合を例として説明した。しかしながら、過去レポートの取得は、新規レポート作成前には限定されない。過去レポートの検索は、所見入力中に実行されてもよい。例えば、参照レポート決定機能２３は、レポートデータベース４０２に格納された過去レポートの中から入力中の所見文字と同一又は対応する文字列を含む過去レポートを参照レポートの候補としてもよい。なお、レポートデータベース４０２の検索は、読影レポート取得機能２１を介して実行されてもよい。
【００５４】
なお、第１の実施形態では、過去レポート画面から参照レポートを決定する場合を例として説明したが、経過レポート画面から参照レポートが決定されてもよい。具体的には、所見入力欄Ｆ２に入力中の文字列により、経過レポート画面に表示される過去レポートが参照レポートの候補となり得るか否かに応じて並び替えて表示されるよう読影レポート作成支援装置１００Ａの各部を構成してもよい。また、表示制御機能２２ａは、参照レポートの候補となり得る過去レポートのみを経過レポート画面に表示してもよい。
【００５５】
以上が、所見入力欄Ｆ２に入力中の文字列から参照レポートを特定する方法の説明である。図３に戻ってフローチャートの説明を続ける。
【００５６】
ステップＳ１０６において、予測機能２４ａは、参照レポートの内容と所見入力欄Ｆ２に入力中の文字列とに基づいて、入力中の文字列に続けて入力される文字列を予測する。
【００５７】
ステップＳ１０７において、表示制御機能２２ａは、予測機能２４ａで予測された文字列を所見入力欄Ｆ２に表示する。
【００５８】
以上がフローチャートの説明である。以下、図６を参照して文字列の予測機能について説明する。
【００５９】
図５において、所見入力欄Ｆ２に入力中の文字列は、「２０１５／１２／１８」である。図６に示すように、予測機能２４ａは、参照レポートの検査種別に基づいて「２０１５／１２／１８」に続く文字列を「のＣＴ」と予測する（順序５）。予測された文字列ＴＸ２は、表示制御機能２２ａにより所見入力欄Ｆ２に表示される。
【００６０】
また、予測機能２４ａは、ユーザの過去の入力内容に基づいて、「２０１５／１２／１８」に続く文字列を予測してもよい。例えば、予測機能２４ａは、ユーザが過去に入力した所見を解析し、所見に検査実施日が入力された場合に続けて入力される文字列を入力履歴から予測してもよい。
【００６１】
具体的には、ユーザが過去に作成した過去レポートにおいて、検査実施日に実施された検査と新規レポートに対応する検査とを比較する内容の所見が記載されている場合、予測機能２４ａは、「２０１５／１２／１８のＣＴ」に続く文字列として「と比較して」という文字列を予測する。
【００６２】
また、予測機能２４ａは、参照レポート決定機能２３により抽出された所見と、所見入力欄Ｆ２に入力中の文字列とに基づいて、入力中の文字列に続けて入力される文字列を予測してもよい。例えば、参照レポートの所見表示欄Ｆ１には、「右上葉に大きさ７−８ｍｍの結節あり。」との記載がある。予測機能２４ａは、参照レポートの所見が「大きさ」という文字列を含むことから、「比較」という文字列が入力されることを予測してもよい。
【００６３】
なお、参照レポートからの抽出所見の文字列と予測文字列との対応関係は、記憶部３０に予め規定されていてもよい。また、入力中の文字列と予測文字列との対応関係についても記憶部３０に予め記憶されていてもよい。なお、ここで、「予め」とは、新規レポートの作成前である。
【００６４】
抽出所見の文字列と予測文字列との対応関係や入力中の文字列と予測文字列と対応関係を規定したデータは、ユーザが過去に作成した過去レポートを予測機能２４ａが解析することによって生成されてもよい。また、これらの対応関係を規定した設定情報は、ユーザ毎に異なる。読影レポート作成支援装置１００Ａは、当該ユーザ毎の設定情報を端末間又は病院間で共有する構成を有し、ユーザは、どの端末を利用しても同様の入力支援を受けることができる。
【００６５】
さらに、参照レポートの所見は、「右上葉」という解剖学的部位に対応する文字列や、当該解剖学的部位の症例を示す「結節」という文字列を含む。予測機能２４ａは、これらの文字列を利用して、「２０１５／１２／１８のＣＴと比較して、」に続く文字列として、「右上葉の結節」という文字列を予測してもよい。
【００６６】
このように、第１の実施形態に係る読影レポート作成支援装置１００Ａによれば、新規レポートの所見に入力中の文字列に基づいて参照レポートが決定されるため、人手による参照レポートの検索を省略できる。即ち、新規レポートの所見入力と共に参照レポートが表示されるため、新規レポートの所見入力前に人手により参照レポートを探す手間を省くことができる。
【００６７】
さらに、新規レポートの所見に入力中の文字列に続けて入力される文字列が参照レポートの内容から予測され、補完的に入力されるため、ユーザの入力の手間を省くことができる。
【００６８】
［第２の実施形態］
第１の実施形態は、所見入力欄Ｆ２に入力中の文字列により参照レポートを検索し、検索された参照レポートの内容を自動的に所見入力欄に表示することにより、ユーザの文字入力を省力化する方法を説明した。しかしながら、省力化されるユーザの操作は、所見入力欄Ｆ２への文字列の入力操作には限定されない。
【００６９】
例えば、新規レポートを作成する場合のユーザ操作には、キー画像の選択操作やキー画像の添付（又は、貼付）操作が含まれる。キー画像となり得る医用画像は、読影レポート作成画面が表示される領域とは異なる領域、例えば、読影レポート作成画面が表示された表示部５０とは別の第２の表示部である医用画像表示用ディスプレイ２００に表示される。ユーザは、マウスのドラック操作などの操作により、医用画像表示用ディスプレイ２００に表示されたキー画像を、表示部５０に表示された読影レポート作成画面に添付する。
【００７０】
第２の実施形態に係る読影レポート作成支援装置１００Ｂは、新規レポートを作成する場合のキー画像の選択操作に続くユーザの操作を予測し、キー画像を効率的に添付可能に読影レポート作成画面のレイアウトを変更する。以下、読影レポート作成支援装置１００Ｂについて説明する。
【００７１】
（１）構成
図７に示すように、読影レポート作成支援装置１００Ｂの処理部２０ｂは、表示制御機能２２ｂ及び予測機能２４ｂを有する。表示制御機能２２ｂ及び予測機能２４ｂの各機能は、記憶部３０ｂに格納されたプログラムを処理部２０ｂが実行することによって実現される機能である。なお、図７の説明において、図２の第１の実施形態に係る読影レポート作成支援装置１００Ａと同じ構成には同一符号を付して説明を省略する。
【００７２】
表示制御機能２２ｂは、第１の実施形態に係る表示制御機能２２ａに加えて、読影レポート作成画面の第１のレイアウト（以下、初期レイアウトという）を特定し、初期レイアウトに基づいて読影レポート作成画面を制御する。ユーザの選択操作によって変更されるレイアウトについては、後述の図９乃至図１６で詳細に説明する。
【００７３】
予測機能２４ｂは、ユーザによる医用画像の選択操作に基づいて、医用画像の選択操作に続くユーザの操作を予測し、予測した操作に適応する第２のレイアウト（以下、変更レイアウトという）を特定する。
【００７４】
表示制御機能２２ｂは、初期レイアウトが特定された後、初期レイアウトに基づく読影レポート作成画面の表示を、予測機能２４ｂによって特定された変更レイアウトという）に基づく読影レポート作成画面に変更する。
【００７５】
記憶部３０ｂは、レイアウトテーブル３２ｂを記憶する。レイアウトテーブル３２ｂは、ユーザの操作と当該操作に続く操作に適用するレイアウトとを対応付けたテーブルである。
【００７６】
（２）動作
以下、図８のフローチャートのステップ番号に従って、実施形態に係る読影レポート作成支援装置１００Ｂの動作を説明する。
【００７７】
以下の説明では、読影レポート作成画面が表示される表示部５０とは別の医用画像表示用ディスプレイ２００に医用画像が表示される場合を例として説明する。その場合とは、医用画像表示用ディスプレイ２００及び表示部５０が、「拡張モード」を採用するデュアルディスプレイとして機能する場合である。なお、医用画像は、医用画像表示用ディスプレイ２００ではなく、読影レポート作成画面が表示される表示部５０の別の表示領域に表示される場合も同様である。以下、医用画像表示用ディスプレイ２００及び表示部５０が、「拡張モード」を採用するデュアルディスプレイとして機能する場合を例にとって説明する。
【００７８】
ステップＳ２０１において、処理回路２０ｂは、医用画像表示用ディスプレイ２００に表示された医用画像に対して実行されたユーザの操作を受け付ける。ユーザの操作には、例えば、操作対象の医用画像へのカーソルの移動などの操作が含まれる。
【００７９】
ステップＳ２０２において、予測機能２４ｂは、ユーザによる医用画像の選択操作を取得する。ここで、医用画像の選択操作には、１つ以上の医用画像を指定する操作や、指定した医用画像をコピーする操作が含まれる。
【００８０】
ステップＳ２０３において、予測機能２４ｂは、ユーザの選択操作に基づいて読影レポート作成画面の変更レイアウトを特定する。変更レイアウトは、ユーザの選択操作に続けて実行される操作に対応した読影レポート作成画面内の各表示要素の配置を規定している。
【００８１】
医用画像の選択操作に続けて実行される操作には、例えば、選択した医用画像をキー画像として作成中の読影レポートに添付する操作が含まれる。読影レポート作成画面には、複数のキー画像添付エリアが存在し、キー画像の添付エリアは、ユーザ毎に異なる。したがって、実施形態に係る読影レポート作成支援装置１００Ｂは、医用画像の選択操作に基づいて、ユーザによって異なるキー画像の添付エリアを表示する。
【００８２】
なお、ユーザの選択操作に続けて実行される操作は、記憶部３０ｂに予め設定されていてもよいし、ユーザが過去に作成した読影レポートの作成過程における操作履歴に基づいて予測機能２４ｂにより予測されてもよい。
【００８３】
ユーザの操作履歴は、記憶部３０ｂに蓄積される。蓄積された操作履歴を予測機能２４ｂが統計的に解析することで、ユーザが選択操作の後に実行する操作が予測されてもよい。なお、ここでの「予め」は、前述同様、新規レポートの作成前である。この場合、レイアウトテーブル３２ｂには、予測機能２４ｂにより予測されるユーザの操作と当該操作に適応するレイアウトとが関連付けて記憶されてもよい。
【００８４】
なお、第２の実施形態に係る読影レポート作成支援装置１００Ｂにおいても、第１の実施形態と同様に、ユーザ毎の設定情報を端末間、病院間で共有する構成を有し、当該設定情報が共有されている端末であればどの端末を用いても同一の支援を受けられる。
【００８５】
ステップＳ２０４において、表示制御機能２２ｂは、初期レイアウトに基づく読影レポート作成画面の表示を、変更レイアウトに基づく読影レポート作成画面に変更する。
【００８６】
以上が、フローチャートの説明である。以下、図９乃至図１６を参照してユーザによる医用画像の選択操作によって変更される読影レポート作成画面のレイアウトについて説明する。
【００８７】
まず、図９及び図１０を参照して、第１の添付支援表示を説明する。第１の添付支援表示では、ユーザのキー画像の選択操作に起因して表示領域Ｅ１のタブがキー画像タブＴＢ３に自動的に切り替わる。
【００８８】
ユーザがキー画像を表示領域Ｅ１のキー画像画面に添付する場合、従来は、キー画像を選択する前に、キー画像タブＴＢ３を選択してキー画像画面を表示させる操作を行っていた。
【００８９】
一方、本実施形態に係る読影レポート作成支援装置１００Ｂは、ユーザが医用画像表示用ディスプレイ２００上でキー画像に対して選択操作を実行した場合、読影レポート作成画面の表示領域Ｅ１に表示されるタブをキー画像タブＴＢ３に自動で切り替え、キー画像画面を表示部５０に表示する。
【００９０】
図９及び図１０の右側は、読影レポート作成画面を表示した表示部５０を示し、左側は、医用画像を表示した医用画像表示用ディスプレイ２００を夫々示している。
【００９１】
図９に示すように、まず、ユーザは、医用画像を選択するためにカーソルＡＲを読影レポート作成画面が表示されている表示部５０から、医用画像が表示されている医用画像表示用ディスプレイ２００に移動させる（順序１）。医用画像表示用ディスプレイ２００の最上段の画像ＩＭＧ３をキー画像として選択する場合、ユーザは、画像ＩＭＧ３が表示されている領域にカーソルＡＲを移動させる。
【００９２】
次に、図１０に示すように、ユーザは、キー画像として選択した画像ＩＭＧ３に対して選択操作を実行する（順序２）。図１０では、選択操作が実行された画像を太枠で示し、他の画像とは識別的に示している。
【００９３】
その後、ユーザの選択操作を取得した予測機能２４ｂは、キー画像画面が表示された読影レポート作成画面の変更レイアウトをレイアウトテーブル３２ｂから取得する。取得された変更レイアウトに基づいて表示制御機能２２ｂは、表示領域Ｅ１にキー画像画面が表示された読影レポート作成画面を生成し、表示部５０に表示する（順序３）。
【００９４】
なお、キー画像画面は、ユーザが画像ＩＭＧ３に対して選択操作を実行した直後に表示される。ユーザは、画像ＩＭＧ３を選択した後、選択した画像をキー画像画面のキー画像添付エリアに移動させるだけで、キー画像を読影レポート作成画面に添付できる（順序４）。即ち、ユーザは、キー画像を選択する前にキー画像タブＴＢ３を選択する操作を省略できる。
【００９５】
以上が第１の添付支援表示の説明である。次に、図１１乃至図１３を参照して、第２の添付支援表示を説明する。
【００９６】
第１の添付支援表示では、ユーザは表示領域Ｅ１のキー画像画面にキー画像を添付する例を説明したが、キー画像が添付される領域はキー画像画面には限定されない。例えば、キー画像は、作成領域Ｅ２のキー画像添付エリアＫＥに添付される場合もある。
【００９７】
キー画像を読影レポート作成画面に添付する場合、キー画像が表示された医用画像表示用ディスプレイ２００における表示領域と、表示部５０のキー画像の添付エリアとが離れているときがある。例えば、医用画像を表示する医用画像表示用ディスプレイ２００の右側に隣接するように、読影レポート作成画面を表示する表示部５０が配置される場合、表示部５０内の右端にキー画像の添付エリアが配置されるときである。そのとき、ユーザによるキー画像の移動距離（操作距離）が長くなる。キー画像の移動距離が長いとキー画像の添付に時間がかかり非効率である。
【００９８】
第２の添付支援表示では、予測機能２４ｂは、ユーザが作成領域Ｅ２のキー画像添付エリアＫＥにキー画像を添付する場合において、キー画像添付エリアＫＥの面積が、初期レイアウトの場合より大きい変更レイアウトを特定する。そして、表示制御機能２２ｂは、初期レイアウトに基づく読影レポート作成画面の表示を、変更レイアウトに基づく読影レポート作成画面に変更する。当該変更レイアウトによれば、キー画像添付エリアＫＥが選択操作の前よりも拡張されて表示されることになるので、キー画像の移動距離が短くなる。
【００９９】
図１１乃至図１３の右側は、読影レポート作成画面を表示した表示部５０を示し、左側は、医用画像表示用ディスプレイ２００を夫々示す。
【０１００】
図１１の右側は、表示部５０に表示される初期レイアウトに基づく読影レポート作成画面を示す。図１１において、読影レポート作成画面のキー画像添付エリアＫＥは、所見入力欄Ｆ２の下部に位置する。キー画像に対して選択操作が実行される前のキー画像添付エリアＫＥの面積は、所見入力欄Ｆ２と比べて小さい。
【０１０１】
医用画像表示用ディスプレイ２００に表示された画像ＩＭＧ３をキー画像として、キー画像添付エリアＫＥに添付する場合、ユーザは、まず、読影レポート作成画面から医用画像表示画面にカーソルＡＲを移動させ（順序１）、画像ＩＭＧ３に対して選択操作を実行する（順序２）。図１２においても、図１０と同様に選択操作が実行された画像に太枠を示し、他の画像と区別する。
【０１０２】
次に、画像ＩＭＧ３に対する選択操作を取得した予測機能２４ｂは、キー画像添付エリアＫＥの面積が、初期レイアウトの場合より大きい変更レイアウト、つまり、キー画像添付エリアＫＥの面積が当該選択操作の前よりも拡張された読影レポート作成画面の変更レイアウトをレイアウトテーブル３２ｂから取得する。表示制御機能２２ｂは、取得された変更レイアウトに基づいてキー画像添付エリアＫＥの面積が拡張された読影レポート作成画面を生成し、表示部５０に表示する（順序３）。
【０１０３】
ここで、図１２に示す例では、変更レイアウトにおけるキー画像添付エリアＫＥが、初期レイアウトにおけるキー画像添付エリアＫＥと比較して、画面の上方向に拡張されている場合を示すがその場合に限定されるものではない。例えば、表示部５０が医用画像表示用ディスプレイ２００の右側に隣接して配置される場合、表示部５０に表示されるキー画像添付エリアＫＥは、医用画像表示用ディスプレイ２００の側、つまり、画面の左方向に拡張されてもよい。
【０１０４】
なお、キー画像添付エリアＫＥは、ユーザが画像ＩＭＧ３に対して選択操作を実行した直後に拡張表示される。ユーザは、画像ＩＭＧ３を選択した後、選択した画像をキー画像添付エリアＫＥに移動させることで、キー画像を読影レポート作成画面に添付できる（順序４）。キー画像添付エリアＫＥが拡張表示されることで、キー画像が添付しやすくなり、画像ＩＭＧ３の移動距離を従来よりも短くすることができる。
【０１０５】
以上が第２の添付支援表示の説明である。次に、図１４乃至図１６を参照して、第３の添付支援表示を説明する。第２の添付支援表示では、キー画像添付エリアＫＥを拡張表示することで、キー画像の移動距離を短くする方法を説明したが、キー画像の移動距離を短くする方法は、添付エリアの拡張には限定されない。
【０１０６】
第３の添付支援表示では、ユーザのキー画像の選択操作に起因して作成領域Ｅ２のキー画像添付エリアＫＥの位置が、医用画像表示用ディスプレイの配置側に近づくように移動された変更レイアウトを特定する。そして、表示制御機能２２ｂは、初期レイアウトに基づく読影レポート作成画面の表示を、変更レイアウトに基づく読影レポート作成画面に変更する。当該変更レイアウトによれば、キー画像添付エリアＫＥが選択操作前よりも近くに表示されることになるので、キー画像の移動距離が短くなる。
【０１０７】
図１４乃至図１６の右側は、読影レポート作成画面を表示した表示部５０を示し、左側は、医用画像表示用ディスプレイ２００を夫々示す。
【０１０８】
第３の添付支援表示において、第２の添付支援表示と異なる点は、医用画像に対して選択操作が実行された画面上の操作位置（座標）に応じて、キー画像添付エリアＫＥの画面上の表示位置（座標）が移動する点にある。
【０１０９】
具体的には、まず、図１４に示すように、医用画像表示用ディスプレイ２００上で画像ＩＭＧ３に対して選択操作が実行される（順序１）。次に、図１５に示すように、作成領域Ｅ２に表示されたキー画像添付エリアＫＥ１は、医用画像表示用ディスプレイ２００に近い表示部５０上の表示領域Ｅ１側に移動する（順序２）。移動後のキー画像添付エリアＫＥ２は、表示領域Ｅ１の手前に表示領域Ｅ１とは別の操作画面として重畳表示される。
【０１１０】
次に、ユーザは、表示領域Ｅ１の手前に重畳表示されたキー画像添付エリアＫＥ２に画像ＩＭＧ３を移動させ、キー画像をキー画像添付エリアＫＥ２に添付する（順序３）。その後、図１６に示すように、表示領域Ｅ１上に表示されたキー画像添付エリアＫＥ２は、ユーザの添付操作の直後に作成領域Ｅ２内のキー画像添付エリアＫＥ１の位置に戻る（順序４）。
【０１１１】
即ち、予測機能２４ｂは、ユーザの選択操作に基づいて、キー画像添付エリアＫＥが表示領域Ｅ１上に一時的に配置された変更レイアウトを取得する。そして、表示制御機能２２ｂは、当該変更レイアウトに応じて読影レポート作成画面を生成する。また、予測機能２４ｂは、ユーザの添付操作に基づいて、キー画像添付エリアＫＥが作成領域１に配置された変更レイアウトを取得し、当該変更レイアウトに応じて表示制御機能２２ｂは、読影レポート作成画面を表示する。
【０１１２】
このように、第３の添付支援表示では、ユーザが医用画像を選択した画面上の操作位置とキー画像添付エリアＫＥの画面上の表示位置との距離が最短になるようにキー画像添付エリアＫＥが移動する。ここで、キー画像添付エリアＫＥの画面上の表示位置とは、例えば、キー画像添付エリアＫＥの中心位置であってもよいし、キー画像添付エリアＫＥの左上端位置や、左下端位置であってもよい。なお、キー画像添付エリアＫＥの画面上の表示位置は、ユーザが設定できてもよい。
【０１１３】
第３の添付支援表示では、第２の添付支援表示同様、ユーザがキー画像を移動させる距離が短くなる。特に、医用画像表示用ディスプレイ２００とキー画像添付エリアＫＥとの距離が離れている場合、医用画像表示用ディスプレイ２００の画面における操作位置の近くの表示位置にキー画像添付エリアＫＥが表示されることで、キー画像の移動距離を最小にできる。
【０１１４】
即ち、表示部５０と医用画像表示用ディスプレイ２００との配置が左右逆の場合であっても、また、上下の場合であっても、ユーザが医用画像を選択した位置に最も近い位置にキー画像添付エリアＫＥが表示されるよう読影レポート作成支援装置１００Ｂの各部が構成される。
【０１１５】
なお、キー画像は複数のキー画像添付エリアに同時に添付されてもよい。即ち、表示領域Ｅ１のキー画像画面のキー画像添付エリアに添付されたキー画像と同じ画像が、作成領域Ｅ２のキー画像添付エリアＫＥに同時に添付されてもよい。具体的には、第１の添付支援表示において、ユーザがキー画像画面のキー画像添付エリアにおいてキー画像の添付操作を実行した場合、作成領域Ｅ２のキー画像添付エリアＫＥに同時に同じキー画像が表示されるよう、読影レポート作成支援装置１００Ｂの各部を構成してもよい。
【０１１６】
このように、複数の添付エリアに同時にキー画像を添付するか否かは、ユーザが予め設定しておいてもよいし、予測機能２４ｂがユーザの操作履歴を解析して自動で判定してもよい。
【０１１７】
なお、第２の添付支援表示のように、作成領域Ｅ２のキー画像添付エリアＫＥにキー画像が添付された場合に、表示領域Ｅ１のキー画像添付エリアに同じキー画像が同時に添付されてもよい。この場合、表示領域Ｅ１のタブがキー画像タブＴＢ３に自動で切り替わってもよい。
【０１１８】
また、キー画像が添付された際に、添付されたキー画像と参照レポートのキー画像とが並べて表示されてもよい。即ち、キー画像の添付操作に起因して、表示制御機能２２ｂは、参照レポートのキー画像と新規レポートのキー画像とを並べて表示する表示領域を生成してもよい。
【０１１９】
なお、第２の実施形態では、選択したキー画像をユーザが添付エリアまで移動させる操作によりキー画像が添付される例を説明したが、キー画像の添付操作は、キー画像を添付エリアまで移動させる操作には限定されない。例えば、キー画像添付エリアＫＥの方向に選択したキー画像をスライドさせるなどの特定の操作を実行するだけでキー画像がキー画像添付エリアＫＥに添付できてもよい。即ち、キー画像をキー画像添付エリアＫＥまで移動させたうえで添付操作を実行しなくてもキー画像を選択した位置においてキー画像の添付操作を実行することでキー画像が所望の領域に添付できてもよい。
【０１２０】
具体的には、ユーザがキー画像を選択し、表示制御機能２２ｂにより読影レポート作成画面のレイアウトが変更されたら、ユーザはキー画像を選択した位置でキー画像の添付操作を実行することで、読影レポート作成画面の所望の領域にキー画像が添付されるよう読影レポート作成支援装置１００Ｂの各部を構成してもよい。
【０１２１】
第２の実施形態に係る読影レポート作成支援装置１００Ｂによれば、キー画像の読影レポートへの添付におけるユーザの操作を省力化できる。
【０１２２】
以上説明した少なくとも１つの実施形態によれば、読影レポートの作成を省力化することができる。
【０１２３】
請求項の用語と実施形態との対応関係は、例えば以下の通りである。なお、以下に示す対応関係は、参考のために示した一解釈であり、本発明を限定するものではない。
【０１２４】
記憶部３０は、記憶手段の一例である。入力部４０は、入力手段の一例である。表示部５０は、表示手段の一例である。予測機能２４ａ又は２４ｂは、予測手段の一例である。表示制御機能２２ａ又は２２ｂは、表示制御手段の一例である。読影レポート取得機能２１は、読影レポート取得手段の一例である。参照レポート決定機能２３は、決定手段の一例である。
【０１２５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２６】
１００、１００Ａ、１００Ｂ  読影レポート作成支援装置
２００  医用画像表示用ディスプレイ
２０、２０ａ、２０ｂ  処理部
２２ａ、２２ｂ  表示制御機能
２４ａ、２４ｂ  予測機能
４０  入力部
５０  表示部
【図１】
2019105921.tif 000003
【図２】
2019105921.tif 000004
【図３】
2019105921.tif 000005
【図４】
2019105921.tif 000006
【図５】
2019105921.tif 000007
【図６】
2019105921.tif 000008
【図７】
2019105921.tif 000009
【図８】
2019105921.tif 000010
【図９】
2019105921.tif 000011
【図１０】
2019105921.tif 000012
【図１１】
2019105921.tif 000013
【図１２】
2019105921.tif 000014
【図１３】
2019105921.tif 000015
【図１４】
2019105921.tif 000016
【図１５】
2019105921.tif 000017
【図１６】
2019105921.tif 000018